(57)【要約】【課題】収納時には極めてコンパクトな状態にすることができるようにしたアイロン台を提供する。【解決手段】台部１の下面に脚を折畳自在に取り付けてなるアイロン台において、該台部は、前側台３と後側台５とを軸７を介して相互に折畳方向に回動自在になるように相互に枢着してなることを特徴とするアイロン台。前記前側台と前記後側台とが同一平面状にあるときに該前側台と該後側台とが相互に回動することを阻止するストッパ４１を設ける。【選択図】図１
0003144290.tif 000002
【実用新案登録請求の範囲】
【請求項１】
台部の下面に脚を折畳自在に取り付けてなるアイロン台において、
該台部は、前側台と後側台とを軸を介して相互に折畳方向に回動自在になるように相互に枢着してなることを特徴とするアイロン台。
【請求項２】
前記脚は、前記前側台の下面に折畳自在に取り付けた前側脚と、前記後側台の下面に折畳自在に取り付けた後側脚とよりなり、
該前側脚は、該前側台の下面に回動自在に取り付けた支持脚と、該支持脚に回動自在に枢着すると共に基端を該前側台の下面に取り外し自在に取り付けた主脚とよりなり、該前側台の下面には該前側脚の主脚における基端を取り外し自在に受ける受け部を備えさせ、
該後側脚は、該後側台の下面に回動自在に取り付けた支持脚と、該支持脚に回動自在に枢着すると共に基端を該後側台の下面に取り外し自在に取り付けた主脚とよりなり、該後側台の下面には該後側脚の主脚における基端を取り外し自在に受ける受け部を備えさせたことを特徴とする請求項１に記載のアイロン台。
【請求項３】
前記前側台と前記後側台とが同一平面状にあるときに該前側台と該後側台とが相互に回動することを阻止するストッパを設けたことを特徴とする請求項１又は２に記載のアイロン台。
【請求項４】
前記ストッパは、前記軸を、前記前側台に固定された前側支持板と前記後側台に固定された後側支持板とにより、該前側支持板と該後側支持板とが該軸を回動中心として相互に回動自在になるように支持させ、前側支持板と後側支持板とには相対応する透孔をそれぞれ備えさせ、前側支持板と後側支持板とのいずれか一方には該透孔に対応する筒状体を立設し、該筒状体には棒状体を進退自在に挿通し、該筒状体には該棒状体を常時該透孔を貫通する方向に付勢するばねを備えさせ、前記前側台と前記後側台とが同一平面状にあるときに該棒状体が該ばねの力により前側支持板の透孔と後側支持板の透孔とを貫通することにより該前側台と該後側台とが相互に回動することを阻止するようにしたことを特徴とする請求項３に記載のアイロン台。
【考案の詳細な説明】
【技術分野】
【０００１】
本考案は、アイロン台に関するものである。
【背景技術】
【０００２】
アイロン台としては、例えば本考案者が提供している実用新案登録第３０８９５２５号公報に示すように、台部の下面に脚を折畳自在に取り付けてなるものが知られている。以下、実用新案登録第３０８９５２５号公報に示すアイロン台を「従来のアイロン台」という。
【特許文献１】実用新案登録第３０８９５２５号公報
【考案の開示】
【考案が解決しようとする課題】
【０００３】
従来のアイロン台は、台部の下面に脚を折畳自在に取り付けている。したがって、従来のアイロン台においては、アイロン台の収納時には、脚を折り畳むことにより脚は台部の下面に密接するため、脚が占めるスペースを考慮する必要がないという利点がある。
【０００４】
しかしながら、従来のアイロン台においては、脚を折り畳んだときでも台部自体の大きさに変化はない。したがって、特に台部が大きいアイロン台においては、依然として収納時に大きなスペースを要することに変わりがない。
【０００５】
本考案は、従来のアイロン台における上述の如き問題を解決し、収納時には極めてコンパクトな状態にすることができるようにしたアイロン台を提供しようとしてなされたものである。
【課題を解決するための手段】
【０００６】
上記課題を解決するために、本考案は下記のアイロン台を提供する。
【０００７】
（１）台部の下面に脚を折畳自在に取り付けてなるアイロン台において、
該台部は、前側台と後側台とを軸を介して相互に折畳方向に回動自在になるように相互に枢着してなることを特徴とするアイロン台（請求項１）。
【０００８】
（２）前記脚は、前記前側台の下面に折畳自在に取り付けた前側脚と、前記後側台の下面に折畳自在に取り付けた後側脚とよりなり、
該前側脚は、該前側台の下面に回動自在に取り付けた支持脚と、該支持脚に回動自在に枢着すると共に基端を該前側台の下面に取り外し自在に取り付けた主脚とよりなり、該前側台の下面には該前側脚の主脚における基端を取り外し自在に受ける受け部を備えさせ、
該後側脚は、該後側台の下面に回動自在に取り付けた支持脚と、該支持脚に回動自在に枢着すると共に基端を該後側台の下面に取り外し自在に取り付けた主脚とよりなり、該後側台の下面には該後側脚の主脚における基端を取り外し自在に受ける受け部を備えさせる（請求項２）。
【０００９】
（３）前記前側台と前記後側台とが同一平面状にあるときに該前側台と該後側台とが相互に回動することを阻止するストッパを設ける（請求項３）。
【００１０】
（４）前記ストッパは、前記軸を、前記前側台に固定された前側支持板と前記後側台に固定された後側支持板とにより、該前側支持板と該後側支持板とが該軸を回動中心として相互に回動自在になるように支持させ、前側支持板と後側支持板とには相対応する透孔をそれぞれ備えさせ、前側支持板と後側支持板とのいずれか一方には該透孔に対応する筒状体を立設し、該筒状体には棒状体を進退自在に挿通し、該筒状体には該棒状体を常時該透孔を貫通する方向に付勢するばねを備えさせ、前記前側台と前記後側台とが同一平面状にあるときに該棒状体が該ばねの力により前側支持板の透孔と後側支持板の透孔とを貫通することにより該前側台と該後側台とが相互に回動することを阻止するようになす（請求項４）。
【考案の効果】
【００１１】
本発明によれば、台部は前側台と後側台とを軸を介して相互に折畳方向に回動自在になるように相互に枢着してなるため、収納時には台部をコンパクトに折り畳むことができる。すなわち、脚のみならず、台部自体も折畳自在であるため、収納時にはアイロン台全体を極めてコンパクトにすることができる。
【考案を実施するための最良の形態】
【００１２】
符号１に示すものはアイロン台の台部である。
【００１３】
該台部１は、前側台３と後側台５とを軸７を介して相互に折畳方向に回動自在になるように相互に枢着してなるものである。
【００１４】
台部１の下面に脚を折畳自在に取り付けている点においては、従来のアイロン台と同様であるが、本考案においては、脚は、前側台３の下面に折畳自在に取り付けた前側脚９と、後側台５の下面に折畳自在に取り付けた後側脚１１とよりなる。
【００１５】
前側脚９は、前側台３の下面に回動自在に取り付けた支持脚１３と、該支持脚１３に回動自在に枢着すると共に基端１５ａを前側台３の下面に取り外し自在に取り付けた主脚１５とよりなる。
【００１６】
符号１７に示すものは、支持脚１３の基端１３ａを回動自在に受ける支持脚受けであって、前側台３の下面に設けられている。支持脚受け１７は、例えば、断面略Ｕ字状体又は断面略Ｌ字状体とする。
【００１７】
符号１９に示すものは、主脚１５の基端１５ａを好ましくは回動自在、かつ、取り外し自在に受ける主脚受けであって、前側台３の下面に設けられている。主脚受け１９は、例えば、断面略Ｕ字状体又は断面略Ｌ字状体とする。
【００１８】
前側台３の下面には前側脚９の主脚１５における基端１５ａを取り外し自在に受ける受け部２１を備えさせる。受け部２１は、前側脚９の主脚１５における基端１５ａが該受け部２１に支持されたときに、前側脚９の主脚１５と支持脚１３とが前側台３の下面に密接する位置に配設する。図３参照。受け部２１は、例えば、断面略Ｕ字状体又は断面略Ｌ字状体とする。図９参照。
【００１９】
後側脚１１は、後側台５の下面に回動自在に取り付けた支持脚２３と、該支持脚２３に回動自在に枢着すると共に基端２５ａを該後側台５の下面に取り外し自在に取り付けた主脚２５とよりなる。
【００２０】
符号２７に示すものは、支持脚２３の基端２３ａを回動自在に受ける支持脚受けであって、後側台５の下面に設けられている。支持脚受け２７は、例えば、断面略Ｕ字状体又は断面略Ｌ字状体とする。
【００２１】
符号２９に示すものは、主脚２５の基端２５ａを好ましくは回動自在、かつ、取り外し自在に受ける主脚受けであって、後側台５の下面に設けられている。主脚受け２９は、例えば、断面略Ｕ字状体又は断面略Ｌ字状体とする。
【００２２】
後側台５の下面には後側脚１１の主脚２５における基端２５ａを取り外し自在に受ける受け部３１を備えさせる。受け部３１は、後側脚１１の主脚２５における基端２５ａが該受け部３１に支持されたときに、後側脚１１の主脚２５と支持脚２３とが後側台５の下面に密接する位置に配設する。図３参照。受け部３１は、例えば、断面略Ｕ字状体又は断面略Ｌ字状体とする。
【００２３】
次に、前側脚９の一例について、図５、図６を参照して、説明する。（後側脚１１についても同様であり、後側脚１１については括弧内に符号のみを示す。）
【００２４】
支持脚１３（２３）は、棒状体を略四角形状に形成してなるものである。略四角形状の支持脚１３（２３）の上辺が基端１３ａ（２３ａ）であり、下辺が接地端１３ｂ（２３ｂ）である。基端１３ａ（２３ａ）は、支持脚受け１７（２７）に対応する。
【００２５】
主脚１５（２５）は、棒状体を下向きの略コ字状に形成してなるものである。下向きの略コ字状の主脚１５（２５）における上辺が基端１５ａ（２５ａ）であり、下端が接地端１５ｂ（２５ｂ）である。基端１５ａ（２５ａ）は、主脚受け１９（２９）及び受け部２１（３１）に対応する。
【００２６】
主脚１５（２５）における基端１５ａ（２５ａ）と接地端１５ｂ（２５ｂ）との間の一対の脚部１５ｃ（２５ｃ）間には連結杆３３を回転自在に配設し、該連結杆３３に支持脚１３（２３）を固着する。すなわち、主脚１３（２３）は支持脚１３（２３）に回動自在に枢着される。
【００２７】
主脚１５（２５）の基端１５ａ（２５ａ）が主脚受け１９（２９）に支承されているときには、主脚１５（２５）と支持脚１３（２３）は回動不能にロックされた状態となる。この状態で、アイロン台が使用される。
【００２８】
アイロン台を折り畳む際には、前側脚９における主脚１５の基端１５ａと後側脚１１における主脚２５の基端２５ａとをそれぞれ主脚受け１９、２９から外すと共に受け部２１、３１に支持させる。しかるときは、前側脚９と後側脚１１とがそれぞれ前側台３の下面と後側台５の下面とに密接する。すなわち、アイロン台の脚は折り畳んだ状態となる。図３参照。
【００２９】
この状態で、前側台３と後側台５とを相互に密接させる方向に回動させて折り畳む。しかるときは、アイロン台は、脚のみならず台部１も折り畳まれる。すなわち、アイロン台は極めてコンパクトな状態となる。図４参照。
【００３０】
前記前側台３と前記後側台５とが同一平面状にあるときに該前側台３と該後側台５とが相互に回動することを阻止するストッパ４１を設ける。
【００３１】
前側台３と後側台５とが同一平面状にあるときとは、アイロン台の台部上に被服を載置し、アイロンをかけるときに他ならない。このときには、前側台３と後側台５とが相互に回動することがなく、アイロン台を安定した状態で使用することができる。
【００３２】
次に、このストッパ４１の一例について説明する。
【００３３】
前記軸７を、前側台３に固定された前側支持板４３と後側台５に固定された後側支持板４５とにより、該前側支持板４３と該後側支持板４５とが該軸７を回動中心として相互に回動自在になるように、支持させる。
【００３４】
前側支持板４３と後側支持板４５とには相対応する透孔４７、４９をそれぞれ備えさせる。
【００３５】
前側支持板４３と後側支持板４５とのいずれか一方には該透孔４７（４９）に対応する筒状体５１を立設する。図示の事例においては、後側支持板４５にはその透孔４９に対応する筒状体５１を立設している。
【００３６】
筒状体５１には棒状体５３を進退自在に挿通し、該筒状体５１には該棒状体５３を常時該透孔４７、４９を貫通する方向に付勢するばね５５を備えさせる。すなわち、ばね５５は、一例として図８に示すように、筒状体５１における後側支持板４５から離れた側の一端５１ａと棒状体５３に突設したばね受け５３ａとの間に取り付ける。
【００３７】
前側台３と後側台５とが同一平面状にあるときに棒状体５３がばね５５の力により後側支持板４５の透孔４９と前側支持板４３の透孔４７とを貫通することにより前側台３と後側台５とが相互に回動することを阻止するようになす。
【図面の簡単な説明】
【００３８】
【図１】本考案によるアイロン台の一例を示す正面図である。
【図２】同上アイロン台の平面図である。
【図３】同上アイロン台において、脚を折り畳んだ状態を示す正面図である。
【図４】同上アイロン台において、脚と台部とを折り畳んだ状態を示す正面図である。
【図５】脚を示す側面図である。
【図６】脚の一部を示す断面図である。
【図７】ストッパを示す正面図である。
【図８】同上ストッパを示す底面図である。
【図９】受け部を示す正面図である。
【符号の説明】
【００３９】
１  台部
３  前側台
５  後側台
７  軸
９  前側脚
１１  後側脚
１３  支持脚
１３ａ  基端
１３ｂ  接地端
１５  主脚
１５ａ  基端
１５ｂ  接地端
１５ｃ  脚部
１７  支持脚受け
１９  主脚受け
２１  受け部
２３  支持脚
２３ａ  基端
２３ｂ  接地端
２５  主脚
２５ａ  基端
２５ｂ  接地端
２５ｃ  脚部
２７  支持脚受け
２９  主脚受け
３１  受け部
３３  連結杆
４１  ストッパ
４３  前側支持板
４５  後側支持板
４７  透孔
４９  透孔
５１  筒状体
５１ａ  一端
５３  棒状体
５３ａ  ばね受け
５５  ばね
【図１】
0003144290.tif 000003
【図２】
0003144290.tif 000004
【図３】
0003144290.tif 000005
【図４】
0003144290.tif 000006
【図５】
0003144290.tif 000007
【図６】
0003144290.tif 000008
【図７】
0003144290.tif 000009
【図８】
0003144290.tif 000010
【図９】
0003144290.tif 000011